【手続補正書】
【提出日】令和3年4月1日(2021.4.1)
【手続補正１】
【補正対象書類名】明細書
【補正対象項目名】００１９
【補正方法】変更
【補正の内容】
【００１９】
本明細書で説明される追加された色収差補正構造を含まない回折領域１１２を有する多焦点ＩＯＬでは、前面１０４（回折領域１１２と屈折領域１１４との両方を含む）のプロファイルは、次のように規定され得る：
サグ（ｒ）＝Ｚｂａｓｅ（ｒ）    ０≦ｒ≦ｒ１
サグ（ｒ）＝Ｚｂａｓｅ（ｒ）＋Ｆｄｉｆｆｒａｃｔｉｖｅ（ｒ，Ｔ）＋Δ１    ｒ１＜ｒ≦ｒ２
サグ（ｒ）＝Ｚｂａｓｅ（ｒ）＋Δ２    ｒ２＜ｒ≦ｒ３                        式（１）
ここで、
ｒは光軸からの径方向距離を表し、
Ｚｂａｓｅ（ｒ）は表面の基本曲率を表し、
Ｆｄｉｆｆｒａｃｔｉｖｅ（ｒ，Ｔ）は設計において多焦点性を生成する回折構造１１６のプロファイルを表し、
Ｔは回折構造１１６のｒ２空間内の周期を表し、
ｒ１、ｒ２及びｒ３は様々な半径方向接合点を表し、
Δ１及びΔ２は、ＩＯＬの様々なセクション間の適切な位相シフトを保証する定数である。
【手続補正２】
【補正対象書類名】明細書
【補正対象項目名】００２４
【補正方法】変更
【補正の内容】
【００２４】
本開示は、回折構造Ｆｄｉｆｆｒａｃｔｉｖｅ（ｒ，Ｔ）が例えば二焦点回折プロファイル、三焦点回折プロファイル又はアポダイズされた回折プロファイルなどの任意の好適な回折プロファイルを規定する可能性があるということを企図する。一例として、回折構造Ｆｄｉｆｆｒａｃｔｉｖｅ（ｒ，Ｔ）は次のように表現され得る：
【数３】
2020518009.tif 000001
ここで、
ｒは光軸からの径方向距離を表し、
ｒ１、ｒ１２及びｒ２は様々な半径方向接合点を表し（ここで、ｒ１及びｒ２は上記式（１）と同じであり）、
Ｔは回折構造１１６のｒ２空間内の周期を表し、
【数４】
2020518009.tif 000002
は床関数を表し、ここで
【数５】
2020518009.tif 000003
は一組の整数であり、
ｈｄｉｆｆｒａｃｔｉｖｅは多焦点回折レンズのステップ高を表す。
【手続補正３】
【補正対象書類名】明細書
【補正対象項目名】００３０
【補正方法】変更
【補正の内容】
【００３０】
例示的色収差補正構造は次のように表現され得る：
【数６】
2020518009.tif 000004
ここで、
ｒは光軸からの径方向距離を表し、
ｒ１’、ｒ２’及びｒ３は様々な半径方向接合点を表し（ここでｒ３は上記式（１）と同じである）、
Ｔｇは追加された色収差補正構造のｒ２空間内の周期を表し、
【数７】
2020518009.tif 000005
は床関数を表し、ここで
【数８】
2020518009.tif 000006
は一組の整数であり、
ｈはステップ高を表す。
【手続補正４】
【補正対象書類名】明細書
【補正対象項目名】００３５
【補正方法】変更
【補正の内容】
【００３５】
このようなピンぼけシフトを補償するために、基本曲線の対応部分は次のように調整され得る：
サグ（ｒ）＝Ｚｂａｓｅ（ｒ）    ０≦ｒ≦ｒ１
サグ（ｒ）＝Ｚｂａｓｅ（ｒ）＋Ｆｄｉｆｆｒａｃｔｉｖｅ（ｒ，Ｔ）＋Δ１’    ｒ１＜ｒ≦ｒ１’
サグ（ｒ）＝Ｚ’ｂａｓｅ（ｒ）＋Ｆｄｉｆｆｒａｃｔｉｖｅ（ｒ，Ｔ）＋Δ１’’    ｒ１’＜ｒ≦ｒ２’
サグ（ｒ）＝Ｚｂａｓｅ（ｒ）＋Ｆｄｉｆｆｒａｃｔｉｖｅ（ｒ，Ｔ）＋Δ１’’’    ｒ２’＜ｒ≦ｒ２
サグ（ｒ）＝Ｚｂａｓｅ（ｒ）＋Δ２’    ｒ２＜ｒ≦ｒ３                      式（９）
ここで、
ｒは光軸からの径方向距離を表し、
Ｚｂａｓｅ（ｒ）は、式（２）に示すような患者遠視力を補正する基本曲率を表し、
Ｚ’ｂａｓｅ（ｒ）は患者遠視力を補正する基本曲率を表し、式（５）内の色収差補正構造の追加により引き起こされる焦点シフトを考慮し、
Ｆｄｉｆｆｒａｃｔｉｖｅ（ｒ，Ｔ）は、設計において多焦点性を提供する基本回折プロファイルを表し、
Ｔは基本回折プロファイルのｒ２空間内の周期を表し、
ｒ１、ｒ２及びｒ３は式（１）に示すように表面における接合点を表し、
ｒ１’及びｒ２’は式（５）に示すように表面における接合点を表す。
Δ１’、Δ１’’、Δ１’’’及びΔ２’はＩＯＬの様々なセクション間の適切な位相シフトを保証する定数である。
【手続補正５】
【補正対象書類名】明細書
【補正対象項目名】００３６
【補正方法】変更
【補正の内容】
【００３６】
式（９）内のＺ’ｂａｓｅ（ｒ）はさらに、次式のように非球面として表現され得る：
【数１１】
2020518009.tif 000007
ここで、
ｒは光軸からの径方向距離を表し、
ｃ’は表面の基本曲率を表し、
ｋ’は円錐定数を表し、
ａ２’は２次変形定数であり、
ａ４’は４次変形定数であり、
ａ６’は６次変形定数であり、
ａｎ’はｎ次変形定数であり、ここでｎは任意の好適な偶数（例えば２０）に等しくてもよい。
【手続補正６】
【補正対象書類名】特許請求の範囲
【補正対象項目名】全文
【補正方法】変更
【補正の内容】
【特許請求の範囲】
【請求項１】
前面、後面、及び光軸を含む光学素子を含む眼科用レンズであって、
前記前面及び前記後面のうちの少なくとも１つは、
基本曲率と、
前記基本曲率を有する屈折領域と、
複数の回折ステップを含む回折プロファイルを含む回折領域と
を含む表面プロファイルを有し、前記回折プロファイルの少なくとも一部は、
前記眼科用レンズの複数の焦点を規定する基本回折プロファイルと
縦色収差を低減する色収差補正構造と
の組み合わせである、眼科用レンズ。
【請求項２】
前記基本曲率は前記眼科用レンズの基本屈折力に対応する、請求項１に記載の眼科用レンズ。
【請求項３】
前記回折領域は前記光軸から第１の半径方向境界まで伸び、
前記屈折領域は前記第１の半径方向境界から前記光学素子の端まで伸びる、請求項１に記載の眼科用レンズ。
【請求項４】
前記基本回折プロファイルはアポダイズされた回折プロファイルを含む、請求項１に記載の眼科用レンズ。
【請求項５】
前記表面プロファイルは次のように規定され：
サグａｃｈｒｏｍａｔｉｚｅｄ＿ｍｕｌｔｉｆｏｃａｌ＝サグ（ｒ）＋ｇ（ｒ）；
ここで、サグ（ｒ）は前記色収差補正構造を除いた前記眼科用レンズの前記表面プロファイルを規定し、ｇ（ｒ）は前記色収差補正構造を規定する、請求項１に記載の眼科用レンズ。
【請求項６】
サグ（ｒ）＝Ｚｂａｓｅ（ｒ）    ０≦ｒ≦ｒ１；
サグ（ｒ）＝Ｚｂａｓｅ（ｒ）＋Ｆｄｉｆｆｒａｃｔｉｖｅ（Ｔ）＋Δ１’    ｒ１＜ｒ≦ｒ１’；
サグ（ｒ）＝Ｚ’ｂａｓｅ（ｒ）＋Ｆｄｉｆｆｒａｃｔｉｖｅ（Ｔ）＋Δ１’’    ｒ１’＜ｒ≦ｒ２’；
サグ（ｒ）＝Ｚｂａｓｅ（ｒ）＋Ｆｄｉｆｆｒａｃｔｉｖｅ（Ｔ）＋Δ１’’’    ｒ２’＜ｒ≦ｒ２；
サグ（ｒ）＝Ｚｂａｓｅ（ｒ）＋Δ２’    ｒ２＜ｒ≦ｒ３；
ｒは前記光軸からの径方向距離を表し、
Ｚｂａｓｅ（ｒ）は前記基本曲率を表し、
Ｚ’ｂａｓｅ（ｒ）は前記色収差補正構造により引き起こされる焦点シフトを考慮する修正基本曲率を表し、
Ｆｄｉｆｆｒａｃｔｉｖｅは前記基本回折構造を規定し、
Ｔは前記基本回折構造のｒ２空間内の周期を表し、
ｒ１、ｒ２、ｒ３、ｒ１’及びｒ２’は前記表面プロファイル上の接合点を表し；
Δ１’、Δ１’’、Δ１’’’、及びΔ２’は定数である、請求項５に記載の眼科用レンズ。
【請求項７】
ｒ１は零に等しく、ｒ３は前記光学素子の外端を規定する、請求項６に記載の眼科用レンズ。
【請求項８】
【数１】
2020518009.tif 000008
ｒは前記光軸からの径方向距離であり、
ｃは前記表面の基本曲率であり、
ｋは円錐定数であり、
ａ２、ａ４、ａ６及びａｎはそれぞれ２次、４次、６次、及びｎ次係数である、請求項６に記載の眼科用レンズ。
【請求項９】
ｎ＝２０である、請求項８に記載の眼科用レンズ。
【請求項１０】
【数２】
2020518009.tif 000009
ｒは前記光軸からの径方向距離を表し、
ｃ’は前記表面の基本曲率を表し、
ｋ’は円錐定数を表し、
ａ２’、ａ４’、ａ６’及びａｎ’はそれぞれ２次、４次、６次、及びｎ次係数であり、
ｃ≠ｃ’、ｋ≠ｋ’、ａ２≠ａ２’、ａ４≠ａ４’、ａ６≠ａ６’、ａｎ≠ａｎ’のうちの１つが成立する、請求項８に記載の眼科用レンズ。
【請求項１１】
ｎ＝２０である、請求項１０に記載の眼科用レンズ。
【請求項１２】
【数３】
2020518009.tif 000010
ｒは前記光軸からの径方向距離を表し、
Ｔｇは前記色収差補正構造のｒ２空間内の周期を表し、
ｒ１’、ｒ２’及びｒ３は前記表面プロファイル上の接合点を表し、
【数４】
2020518009.tif 000011
は床関数を表し、ここで
【数５】
2020518009.tif 000012
は前記一組の整数であり、
ｈはステップ高を表す、請求項６に記載の眼科用レンズ。
【請求項１３】
Ｔｇ＝Ｔである、請求項１２に記載の眼科用レンズ。
【請求項１４】
Ｔｇ＝ＮＴ；又は
Ｔ＝ＮＴｇ；
ここでＮは整数である、請求項１２に記載の眼科用レンズ。
【請求項１５】
ｈ＝Ｎｈλ／（ｎＩＯＬ−ｎｏｃｕｌａｒｍｅｄｉａ）；
Ｎｈは整数であり、
λは設計波長を表し、
ｎＩＯＬは眼科用レンズの屈折率を表し、
ｎｏｃｕｌａｒｍｅｄｉａは患者の透光体の屈折率を表す、請求項１２に記載の眼科用レンズ。